(57)【要約】      （修正有）【課題】ランドセルやリュックサック、背負子等の重量物、その他ベビーキャリー或いはスリング等の乳幼児運搬用具による乳幼児等の重量物の荷重を分散支持させて装着者の負担を軽減できる荷重支持具を提供する。【解決手段】荷重支持具１は、周長を調節することによりその径を伸縮できる環状の締具３と、締具に対し連結部を介して連結された支持板２と、支持板の自由端側に緊結されて吊り上げるように張設される張設部材４１、４２とを備える。連結部は、水平断面形状が締具の外周面の形状に合致する曲面部分を含む底面を有する腰当部２３と、腰当部を締具に係合させる係合部（フック２２）と、腰当部の外側面と支持板２の上面とを接続し軸部を中心に開閉する蝶番部２４とを有する。【選択図】図１
0003229869.tif 000002
【実用新案登録請求の範囲】
【請求項１】
周長を調節することによりその径を伸縮できる環状の締具と、
前記締具に対し連結部を介して連結された支持板と、
前記支持板の自由端側に緊結されて、その自由端側を吊り上げるように張設される張設部材と
を備えることを特徴とする荷重支持具。
【請求項２】
前記締具は、帯状の部材の両端に相互に連結する一対の接続具を有するバックル部をさらに備え、前記一対の接続具を着脱自在に連結させることにより環状に形成されていることを特徴とする請求項１に記載の荷重支持具。
【請求項３】
前記連結部は水平な軸部を有し、前記支持板は、前記締具に対し前記連結部の軸部を介して回動自在に連結されていることを特徴とする請求項１又は２に記載の荷重支持具。
【請求項４】
前記連結部は、
水平断面形状が前記締具の外周面の形状に合致する曲面部分を含む底面を有する腰当部と、
前記腰当部を前記締具に係合させる係合部と、
前記腰当部の外側面と前記支持板の上面とを接続し、前記軸部を中心に開閉する蝶番部と
を備え、
前記支持板は前記蝶番部によって回動される突出部を有し、
前記突出部は、前記支持板が水平状態となったときに前記腰当部の前記底面に下方から当接される
ことを特徴とする請求項３に記載の荷重支持具。
【請求項５】
前記締具から前記支持板までの鉛直方向の距離を離間させる離間部材をさらに備えることを特徴とする請求項１乃至４のいずれかに記載の荷重支持具。
【請求項６】
前記腰当部は、
前記締具に前記係合部によって係合される固定部と、
前記蝶番部とともに前記固定部から分離される昇降部と、
前記固定部から前記昇降部を吊下させて前記締具から前記支持板までの鉛直方向の距離を離間させる離間部材と
を有することを特徴とする請求項４に記載の荷重支持具。
【請求項７】
前記離間部材は伸縮機構により全長が変化することを特徴とする請求項５又は６に記載の荷重支持具。
【請求項８】
前記離間部材は柔軟な紐状の部材であることを特徴とする請求項５又は６に記載の荷重支持具。
【請求項９】
前記張設部材は柔軟な紐状の部材で形成され、
前記支持板には、紐状の張設部材を収納する空間部が形成されている
ことを特徴とする請求項１乃至６のいずれかに記載の荷重支持具。
【考案の詳細な説明】
【技術分野】
【０００１】
本考案は、バックパックやリュックサック、その他の背負子等の重量物、ベビーキャリー或いはスリング等の乳幼児運搬用具による乳幼児の荷重のほか、児童用のランドセルなどを支持するために装着される荷重支持具に関する。
【背景技術】
【０００２】
従来より、バックパックやリュックサック、背負子など、荷物を運搬するために重量物を装着者の背中に背負うタイプの運搬具が考案されている（例えば、特許文献１参照）。また、小学校の児童などは自分の体重と比して重量のある教科書や筆記具などを毎日背負って通学しなければならず、そのためにランドセルやリュックサック、ツーウェイバッグなどの鞄類が広く普及している。
【先行技術文献】
【特許文献】
【０００３】
【特許文献１】特開平９−１９２２０９号公報
【考案の概要】
【考案が解決しようとする課題】
【０００４】
しかしながら、特許文献１に開示された背負子は、エンジン等の作業機械など相当な重量物を運搬することが目的であるため、重量に耐えうるように背負子自体の構成が大型で且つ重量であり、旅行や通勤・通学には適していないという問題があった。また、近年ではランドセルの素材や構造も種々開発され軽量化が進んではいるものの、近年の教科書等の増加量が著しく、児童生徒の負担が低減されていないのが現状である。
【０００５】
本考案は上記の点に鑑みなされたもので、バックパックやリュックサック、その他の背負子等の重量物の荷重を分散支持させて装着者の負担を軽減できる荷重支持具を提供することを目的とする。
【課題を解決するための手段】
【０００６】
上記課題を解決するために、本考案の荷重支持具は、周長を調節することによりその径を伸縮できる環状の締具と、締具に対し連結部を介して連結された支持板と、支持板の自由端側に緊結されて、その自由端側を吊り上げるように張設される張設部材とを備える。
【０００７】
上述した本考案において締具は、帯状の部材の両端に相互に連結する一対の接続具を有するバックル部をさらに備え、一対の接続具を着脱自在に連結させることにより環状に形成されていることが好ましい。また、上記連結部は水平な軸部を有し、支持板は締具に対し連結部の軸部を介して回動自在に連結されていることが好ましい。
【０００８】
上述した本考案では、締具から支持板までの鉛直方向の距離を離間させる離間部材をさらに備えることが好ましい。また、本考案において、前記腰当部は締具に係合部によって係合される固定部と、蝶番部とともに固定部から分離される昇降部と、固定部から離間部を吊下させて締具から支持板までの鉛直方向の距離を離間させる離間部材とを有することが好ましい。この離間部材は伸縮機構により全長が変化するものや、柔軟な紐状の部材とすることができる。
【０００９】
本考案では、張設部材は柔軟な紐状の部材で形成され、支持板には、紐状の張設部材を収納する空間部が形成されていることが好ましい。さらに、この空間部は、支持板が締具に対して回動されて垂直な状態となった際に形成されることが好ましい。
【考案の効果】
【００１０】
このような本考案の荷重支持具では、装着者は締具を腰に装着し、その背中側に支持板を連結させ、装着者の背中から後方に向けて支持板の自由端側を水平に張出させる。この状態においてバックパック等の荷物を背負って、その荷物の底部を支持板上に載置させる。そして、支持板の自由端側に緊結された張設部材を装着者の肩に掛けて前方に引っ張ることによって支持板を上方に吊り上げることができる。これにより、荷物の重量を支持板全体で下方から持ち上げる形となり、張設部材を介してその重量を肩や腕の力で引っ張れることから、荷物の重量を肩や腕などの上半身全体に分散させることができる。これらの結果、本考案によれば、バックパック、その他の背負子等の重量物のほか、ベビーキャリー或いはスリング等の乳幼児運搬用具による乳幼児の荷重を分散支持することができ、装着者の負担を容易に軽減できる。
【図面の簡単な説明】
【００１１】
【図１】実施形態に係る荷重支持具の外観を示す斜視図である。
【図２】実施形態に係る荷重支持具の外観を示す斜視図である。
【図３】実施形態に係る荷重支持具の使用状態を前方から示す斜視図である。
【図４】実施形態に係る荷重支持具の使用状態を後方から示す斜視図である。
【図５】実施形態に係る荷重支持具のバックルを開いた状態を示す斜視図である。
【図６】実施形態に係る荷重支持具の支持板を畳んだ状態を前方から示す斜視図である。
【図７】実施形態に係る荷重支持具の支持板を折り畳んだ状態を後方から示す斜視図である。
【図８】実施形態に係る荷重支持具の装着時において支持板を開いた状態を示す斜視図である。
【図９】実施形態に係る荷重支持具の装着時において支持板を畳んだ状態を示す斜視図である。
【図１０】実施形態に係る荷重支持具の支持板を折り畳む構造（畳んだ状態）を示す側面図である。
【図１１】実施形態に係る荷重支持具の支持板を折り畳む構造（開いた状態）を示す側面図である。
【図１２】実施形態に係る荷重支持具の他の使用状態を示す説明図である。
【図１３】変更例に係る荷重支持具の使用状態を後方から示す斜視図である。
【図１４】変更例に係る荷重支持具の使用状態を後方から示す斜視図である。
【図１５】変更例に係る荷重支持具の使用状態を後方から示す斜視図である。
【図１６】変更例に係る荷重支持具の支持板を吊下する構造（支持板を上昇させた状態）を示す側面図である。
【図１７】変更例に係る荷重支持具の支持板を吊下する構造（支持板を下降させた状態）を示す側面図である。
【考案を実施するための形態】
【００１２】
（荷重支持具の構成）
以下に添付図面を参照して、本考案に係る荷重支持具の実施形態を詳細に説明する。なお、以下に示す実施の形態は、この考案の技術的思想を具体化するための装置等を例示するものであって、この考案の技術的思想は、各構成部品の材質、形状、構造、配置等を下記のものに特定するものでない。この考案の技術的思想は、実用新案登録請求の範囲において、種々の変更を加えることができる。
【００１３】
図１及び図２に示すように、本実施形態に係る荷重支持具１は、環状の締具３と、締具３に対して連結された支持板２と、支持板２を吊り上げるように張設される張設部材４１，４２とから概略構成されている。
【００１４】
環状の締具３は、装着者Ｕ１が腰に巻き付けて装着する帯状のベルト部材３０を基体としており、本実施形態では、帯状のベルト部材３０の両端に相互に連結する一対の接続具３１ａ，３１ｂを有するバックル部３１を有し、これら一対の接続具３１ａ，３１ｂを着脱自在に連結させることにより環状に形成されている。このベルト部材３０には、アジャスターやバックルコキ等のベルト部材３０の長さを調節する治具が取付けられており、環状に形成されたベルト部材３０の周長を調節することによって、その環状の径を伸縮できるようになっている。
【００１５】
支持板２は、例えば硬化プラスチックなどの軽量である程度の強度を有する素材で形成された板上の部材であり、本実施形態では略矩形状をなすとともに、水平な状態にされた際に装着者Ｕ１の腰に当接される部分が、装着者Ｕ１の腰にフィットするような曲線状の凹部を有する突出部２ａが形成されている。
【００１６】
そして、支持板２は連結部を介して、ベルト部材３０に接続されている。この連結部は、本実施形態においては、腰当部２３と、係合部であるフック２２と、蝶番部２４とから構成されている。
【００１７】
腰当部２３は、水平断面形状が締具３の外周面の形状に合致する曲面部分を含む底面２３ａを有しており、本実施形態では、水平断面形状が弧状をなしており、その外周面側に蝶番部２４が貼り付けられるようにして固定され、内周面側にフック２２が両端及び中央の３カ所に取付けられている。
【００１８】
詳述すると、フック２２は、腰当部２３を締具３に係合させる係合部材であり、本実施形態では腰当部２３の内側面の中央及び両端の３カ所に設けられている。このフック２２は、逆Ｕ字状に形成され腰当部２３の内側面から内方に向けて突出されており、フック２２の端部は、下方に向けて屈曲され、ベルト部材３０に対して上方から引っ掛けられるようになっている。
【００１９】
蝶番部２４は腰当部２３の外側面２３ｂと支持板２の上面２ｃとを接続し、軸部２４ａを中心に開閉する蝶番である。そして、支持板２には蝶番部２４によって回動される突出部２ａが形成されている。この突出部２ａは支持板２が水平状態となったときに腰当部２３の底面２３ａに下方から当接される。
【００２０】
一方、支持板２の自由端２ｂ側には張設部材４１，４２が緊結されている。これら張設部材４１，４２は、ロープやベルト等の紐状の部材であり、支持板２の自由端２ｂ側に緊結されてその自由端２ｂ側を上方へ吊り上げるように装着者Ｕ１の肩に掛け回されるようになっている。この張設部材４１，４２は柔軟な紐状の部材で形成され、支持板２には紐状の張設部材４１，４２を収納する空間部であるポケット２１が形成されている。このポケット２１は、支持板２が締具３に対して回動されて垂直な状態となった際に上方に開口部が位置され、その下方に収納空間が形成されるようになっている。
【００２１】
（使用方法）
以上の構成を有する荷重支持具１の使用方法について説明する。図３及び図４に装着者Ｕ１が荷重支持具１を装着した使用状態を示す。なお、以下で説明する処理手順は一例に過ぎず各処理は可能な限り変更されてもよい。また、以下で説明する処理手順について実施の形態に応じて、適宜、ステップの省略、置換及び追加が可能である。
【００２２】
先ず、装着者Ｕ１は、締具３の帯状のベルト部材３０を腰に巻き付けて装着する。具体的にはベルト部材３０両端の接続具３１ａ，３１ｂを相互に連結させて、ベルト部材３０を環状に形成して装着する。このときベルト部材３０のアジャスターやバックルコキ等の治具を用いて環状に形成されたベルト部材３０の周長を調節してその環状の径を伸縮させて、装着者Ｕ１のウエストにフィットさせる。
【００２３】
次いで、腰当部２３のフック２２，２２をベルト部材３０に対して上方から引っ掛けるように連結させ、支持板２をベルト部材３０に接続する。この支持板２を締具３のベルト部材３０に接続した状態で支持板２を回動させて水平な状態とし、通常通りランドセル５を背負う。このとき、ランドセル５はその底面が支持板２の上面に載置されてその重量が支持板２に支持される。
【００２４】
一方、支持板２の自由端２ｂ側には張設部材４１，４２が緊結されている。これら張設部材４１，４２は、ロープやベルト等の紐状の部材であり、支持板２の自由端２ｂ側に緊結されてその自由端２ｂ側を上方へ吊り上げるように装着者Ｕ１の肩に掛け回されるようになっている。この張設部材４１，４２は柔軟な紐状の部材で形成され、支持板２には紐状の張設部材４１，４２を収納する空間部であるポケット２１が形成されている。このポケット２１は、支持板２が締具３に対して回動されて垂直な状態となった際に上方に開口部が位置され、その下方に収納空間が形成されるようになっている。
【００２５】
（変更例）
なお、上述した実施形態の説明は、本考案の一例である。このため、本考案は上述した実施形態に限定されることなく、本考案に係る技術的思想を逸脱しない範囲であれば、設計や使用態様等に応じて種々の変更が可能である。
【００２６】
例えば、上述した実施形態では支持板２が装着者Ｕ１の背中側に位置するように装着したが、図１２に示すように、支持板２が装着者Ｕ２の腹部側に位置するように装着してもよい。このとき、張設部材４１，４２を相互に連結して装着者Ｕ２の首に掛け回すようにする。
【００２７】
この場合には、ベルト部材３０の腰当部２３を腹部側に位置させ、この腰当部２３に接続された支持板２を水平に張出させ、その上に抱っこ紐、ベビーキャリー或いはスリング等の乳幼児運搬用具６で抱いた乳幼児Ｕ３の体重を載せて支持する。これにより、乳幼児Ｕ３の体重を装着者Ｕ２の腰部で支えることができ、これにより乳幼児Ｕ３の重量を装着者Ｕ２の下半身全体に分散させるとともに、首に掛け回した張設部材４１，４２を介して乳幼児Ｕ３の上半身にも分散させて負荷が局部的に集中するのを回避できる。
【００２８】
さらなる変更例としては、図１３〜図１７に示すように、上記支持板２を締具３に対して昇降可能な構成とし、バックパック５０など背負う荷物の大きさや重量に応じて、荷物を下から支える高さ位置を調節するようにしてもよい。具体的には、締具３から支持板２までの鉛直方向の距離を離間させる離間部材２３３をさらに設ける。本変更例では、上述した腰当部２３を、上下に分割して上側を固定部２３１とし、下側を昇降部２３２とし、離間部材２３３で固定部２３１から昇降部２３２を吊下させる。
【００２９】
詳述すると、本変更例においても支持板２が、連結部を介してベルト部材３０に接続されている。この連結部は、本変更例においても、腰当部２３と、係合部であるフック２２と、蝶番部２４とから構成されている。
【００３０】
そして、腰当部２３は、上下に分割されて上側が固定部２３１となり、この固定部２３１から離間部材２３３で昇降部２３２を吊下される。固定部２３１は係合部であるフック２２を介して締具３に連結される部材であり、昇降部２３２は蝶番部２４とともに固定部２３１から分離される。
【００３１】
離間部材２３３は、本実施形態では、所定の硬度及び強度を有するロッド状の部材でありテレスコ（登録商標）ピックなどの伸縮機構によって伸縮自在に構成されている。この離間部材２３３は、上端側が固定部２３１の下面に接続され、下端側が昇降部２３２に接続され、全長が縮小されることにより昇降部２３２を上昇させ、全長が伸張されることによって昇降部が下降されて吊下されて締具３から支持板２までの鉛直方向の距離が離間される。なお、この離間部材２３３は柔軟な紐状の部材としてもよい。
【００３２】
固定部２３１及び昇降部２３２は、いずれも水平断面形状が締具３の外周面の形状に合致する曲面部分を含む底面２３ａをそれぞれ有しており、本実施形態では水平断面形状が弧状をなしており、昇降部２３２の外周面側に蝶番部２４が貼り付けられるようにして固定され、固定部２３１の内周面側にフック２２が両端及び中央の３カ所に取付けられている。詳述すると、フック２２は腰当部２３を締具３に係合させる係合部材であり、本実施形態では固定部２３１の内側面の中央及び両端の３カ所に設けられている。このフック２２は、逆Ｕ字状に形成され固定部２３１の内側面から内方に向けて突出されており、フック２２の端部は、下方に向けて屈曲され、ベルト部材３０に対して上方から引っ掛けられるようになっている。
【００３３】
蝶番部２４は、上述した実施形態と同様に、昇降部２３２の外側面２３ｂと支持板２の上面２ｃとを接続し、軸部２４ａを中心に開閉する。そして、支持板２には蝶番部２４によって回動される突出部２ａが形成され、この突出部２ａは支持板２が水平状態となったときに昇降部２３２の底面２３ａに下方から当接される。
【００３４】
（作用・効果）
以上述べたように、本実施形態に係る荷重支持具１では、装着者Ｕ１は締具３を腰に装着し、その背中側に支持板２を位置させ、装着者Ｕ１の背中から後方に向けて支持板２の自由端側を水平に張出させる。この状態においてランドセル５等を背負って、ランドセル５の底部を支持板２上に載置させる。そして、支持板２の自由端側に緊結された張設部材４１，４２を装着者Ｕ１の肩に掛けて前方に引っ張ることによって支持板２を上方に吊り上げることができる。
【００３５】
これにより、ランドセル５等の重量を支持板２全体で下方から持ち上げる形となり、その重量を張設部材４１，４２を介して肩や腕の力で引っ張れることから、ランドセル５の重量を肩や腕などの上半身全体と、締具３を介して下半身全体に分散させることができる。これらの結果、本実施形態によれば、ランドセル５等の重量物の荷重を分散支持することができ、装着者の負担を軽減できる。
【００３６】
なお、本発明は、上記した各実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【００３７】
Ｕ１…装着者
Ｕ２…装着者
Ｕ３…乳幼児
１…荷重支持具
２…支持板
２ａ…突出部
２ｂ…自由端
２ｃ…上面
３…締具
４…係合部
５…ランドセル
６…乳幼児運搬用具
２１…ポケット
２２，２２…フック
２３…腰当部
２３ａ…底面
２３ｂ…外側面
２４…蝶番部
２４ａ…軸部
３０…ベルト部材
３１…バックル部
３１ａ，３１ｂ…接続具
４１，４２…張設部材
５０…バックパック
２３１…固定部
２３２…昇降部
２３３…離間部材
【図１】
0003229869.tif 000003
【図２】
0003229869.tif 000004
【図３】
0003229869.tif 000005
【図４】
0003229869.tif 000006
【図５】
0003229869.tif 000007
【図６】
0003229869.tif 000008
【図７】
0003229869.tif 000009
【図８】
0003229869.tif 000010
【図９】
0003229869.tif 000011
【図１０】
0003229869.tif 000012
【図１１】
0003229869.tif 000013
【図１２】
0003229869.tif 000014
【図１３】
0003229869.tif 000015
【図１４】
0003229869.tif 000016
【図１５】
0003229869.tif 000017
【図１６】
0003229869.tif 000018
【図１７】
0003229869.tif 000019